(57)【要約】【課題】プロジェクタの小型化に対応可能な構成のファンを備えたプロジェクタを提供する。【解決手段】プロジェクタ１は、外装２の内部に設けられ光源から射出された光束を画像信号に応じて変調して投射する光学ユニットと、外装２の内部を冷却した冷却空気を排出冷却空気１０ｄとして排気するための排気ファン２０と、を備え、排気ファン２０は、非稼動時には外装２の内部へ収容され、稼動時には外装２から引き出されることが可能な構成であることを特徴とする。【選択図】図３
2008309915.tif 000002
【特許請求の範囲】
【請求項１】
筐体の内部に設けられ光源から射出された光束を画像信号に応じて変調して投射する光学ユニットと、
前記筐体の内部を冷却するための冷却部と、を備えたプロジェクタであって、
前記冷却部は、前記筐体内への収容および前記筐体からの引き出しが可能な構成であることを特徴とするプロジェクタ。
【請求項２】
請求項１に記載のプロジェクタにおいて、
前記冷却部は、前記筐体から引き出されると冷却空気の供給が可能となることを特徴とするプロジェクタ。
【請求項３】
請求項１または２に記載のプロジェクタにおいて、
検出部をさらに備え、
前記検出部が前記冷却部の引き出されていることを検出している場合にのみ、電源オンの処理が可能であることを特徴とするプロジェクタ。
【請求項４】
請求項３に記載のプロジェクタにおいて、
投射中の状態で、前記検出部が前記冷却部の収納されたことを検出した場合には、警告表示をした後、電源オフの処理をすることを特徴とするプロジェクタ。
【請求項５】
請求項４に記載のプロジェクタにおいて、
タイマをさらに備え、
前記警告表示の後、前記タイマの計時する所定時間内に、前記検出部が前記冷却部の引き出されたことを検出した場合には、電源オフの処理を行わず投射を継続することを特徴とするプロジェクタ。
【請求項６】
請求項１から５のいずれか一項に記載のプロジェクタにおいて、
前記冷却部は、前記冷却空気を排気するファンであることを特徴とするプロジェクタ。
【発明の詳細な説明】
【技術分野】
【０００１】
本発明は、冷却ファンを備えたプロジェクタに関する。
【背景技術】
【０００２】
従来、プロジェクタは、光源部等の発熱部を冷却するために、冷却空気を吸排気する冷却ファン（冷却部）を備えている。近年、プロジェクタは、持ち運びが容易なように小型化されてきており、冷却ファンも小型のものが搭載されている。この場合、小型の冷却ファンによって、十分な流量の冷却空気を導入するために、冷却ファンの回転を上げて対応している。また、特許文献１には、小型のロータリーファンを備えたプロジェクタが開示されていて、このロータリーファンによれば、小型でありながらも、十分な流量の冷却空気を導入することが可能である。
【０００３】
【特許文献１】特開平６−２６６００８号公報
【発明の開示】
【発明が解決しようとする課題】
【０００４】
しかし、従来の技術では、小型の冷却ファンを備えたプロジェクタにおいて、冷却ファンの回転数を上げると、冷却ファンによる運転騒音が大きくなってしまい、ユーザーにとって耳障りである、という課題があった。また、ロータリーファンを備えたプロジェクタは、小型で静粛な運転が可能であるが、ユニット構成が複雑でメンテナンスが煩雑となり、コスト面でも高価なものになってしまう、という課題があった。
【課題を解決するための手段】
【０００５】
本発明は、上記課題の少なくとも一部を解決するためになされたものであり、以下の適用例又は形態として実現することが可能である。
【０００６】
［適用例１］本適用例にかかるプロジェクタは、筐体の内部に設けられ光源から射出された光束を画像信号に応じて変調して投射する光学ユニットと、前記筐体の内部を冷却するための冷却部と、を備えていて、前記冷却部は、前記筐体内への収容および前記筐体からの引き出しが可能な構成であることを特徴とする。
【０００７】
このプロジェクタによれば、プロジェクタを冷却するための冷却部は、筐体内に収容可能であると共に、筐体からの引き出しも可能な構成である。この構成によれば、冷却部を稼動させる場合、冷却部は筐体から引き出されて配置される。そのため、筐体内へ冷却部を収容する場合には、冷却部が筐体内で稼動することを考慮する必要がなく、筐体内部へ収容さえできれば良い。従って、冷却部が稼動している配置状態のままでは、冷却部を筐体内へ収めることが困難であっても、冷却部の筐体収容時には、冷却部が稼動を停止しており、多様な収容形態で冷却部を収容することが可能である。つまり、冷却部の姿勢を変えて収納することや、冷却部を分割または折り畳んで収納すること等が可能である。そのため、冷却部を筐体内の任意の空きスペースに収容すること等ができ、筐体内のスペースを有効に活用して、筐体の小型化が図れる。さらに、筐体を小型化しても、筐体に合わせた小型の冷却部を新たに設定しなくても良く、従来の冷却部をそのまま使用することやマイナーチェンジ程度で使用することが可能である。
【０００８】
［適用例２］上記適用例にかかるプロジェクタにおいて、前記冷却部は、前記筐体から引き出されると冷却空気の供給が可能となることが好ましい。
【０００９】
この構成によれば、冷却部は、筐体内での収容姿勢に関わらず、プロジェクタを効率良く冷却する冷却空気の流れが形成されるように、筐体から引き出されて配置される。冷却部が引き出されて配置されると、プロジェクタは、冷却部を稼動させることが可能な状態になり、この状態において、冷却部を稼働させれば、冷却空気を筐体内へ供給することが可能である。これにより、プロジェクタは、冷却部が引き出されている場合において、冷却部を的確に稼働させることができ、十分な冷却空気により効果的な冷却が行える。
【００１０】
［適用例３］上記適用例にかかるプロジェクタは、検出部をさらに備え、前記検出部が前記冷却部の引き出されていることを検出している場合にのみ、電源オンの処理が可能であることが好ましい。
【００１１】
この構成によれば、冷却部が筐体から引き出されている場合、即ち、プロジェクタへ冷却空気を供給できる状態の場合に、プロジェクタの電源をオンにすることが可能である。冷却部が筐体から引き出されているか否かは、検出部が検出する。これにより、冷却部が筐体内に収容されたままで、プロジェクタへ冷却空気を供給できない状態の時に、プロジェクタの電源がオンにされ、プロジェクタが加熱してしまう事態を回避することが可能である。検出部を設けることにより、冷却部の収納または引き出し状態を確実に判断でき、プロジェクタの電源オンの処理が的確に行える。
【００１２】
［適用例４］上記適用例にかかるプロジェクタは、投射中の状態で、前記検出部が前記冷却部の収納されたことを検出した場合には、警告表示をした後、電源オフの処理をすることが好ましい。
【００１３】
この構成によれば、プロジェクタによる投射中に、誤って冷却部が筐体内へ収容されてしまった場合、プロジェクタへ冷却空気が供給されなくなるため、プロジェクタによる投射を中止する。投射中に冷却部が筐体内へ収容されたことは、検出部が検出し、検出後に、直ちに異常を知らせる警告を表示して、電源オフの処理を開始する。これにより、冷却部が筐体内に収容されたにも拘わらず、プロジェクタへ冷却空気を供給できない状態のまま投射が続行され、プロジェクタが加熱してしまう事態を確実に回避することが可能である。
【００１４】
［適用例５］上記適用例にかかるプロジェクタは、タイマをさらに備え、前記警告表示の後、前記タイマの計時する所定時間内に、前記検出部が前記冷却部の引き出されたことを検出した場合には、電源オフの処理を行わず投射を継続することが好ましい。
【００１５】
この構成によれば、プロジェクタによる投射中に、誤って冷却部が筐体内へ収容されてしまった場合、電源オフの処理をする前に、ユーザーが誤りに気づいて冷却部を再度引き出したか否かを確認する所定時間を設けている。所定時間は、タイマによって計時される。所定時間内に、冷却部が引き出されたことを検出部が検出すれば、プロジェクタは、電源オフの処理を行わずに投射を継続する。これにより、ユーザーがすぐに誤りに気づいて冷却部を再度引き出した場合には、電源オフの処理がされない。そのため、所定時間内であれば、再度最初からプロジェクタを立ち上げる手間を、ユーザーにかけさせることがない。
【００１６】
［適用例６］上記適用例にかかるプロジェクタにおいて、前記冷却部は、前記冷却空気を排気するファンであることが好ましい。
【００１７】
この構成によれば、冷却部は、冷却空気を排気する排気ファンであり、筐体から引き出されて配置されると、プロジェクタを冷却して暖まった冷却空気を排出して、プロジェクタを効率良く冷却する冷却空気の流れの形成を促進させる。つまり、大型ファンの採用が可能な排気ファンによって、発熱部を冷却したそれぞれの冷却空気を一括して強力に排気することができ、これにより、プロジェクタへ新たな冷却空気が供給され易くなる。従って、薄型のプロジェクタにおいて、発熱部の近傍に設けられた小型の吸気部であっても、冷却空気を十分に導入することが可能になる。この排気ファンにより、十分な冷却空気がスムーズに供給され、プロジェクタが効率良く冷却される。
【発明を実施するための最良の形態】
【００１８】
以下、プロジェクタの具体的な実施形態について図面に従って説明する。実施形態のプロジェクタは、プロジェクタから引き出して稼動可能な大容量の排気ファン（冷却部）を備えている。
（実施形態）
【００１９】
図１は、本実施形態にかかるプロジェクタを前面上方から見た外観を示す斜視図である。また、図２は、プロジェクタを背面下方から見た外観を示す斜視図である。図１に示すように、プロジェクタ１は、上面、側面、および背面を構成する上部外装２ａと、底面、側面、および背面を構成する下部外装２ｂと、前面を構成する前部外装２ｃと、で形成された略直方体状の外観をしており、これら外装２はプロジェクタ１の機構部分を収容する筐体である。そして、上部外装２ａの上面の前部外装２ｃ側には、プロジェクタ１を操作するための操作パネル５が設けられている。また、前部外装２ｃには、操作パネル５の位置近傍に切り欠きが設けられていて、この切り欠きの部分に画像を投射する投射部３が配置されている。投射部３には、ズーム操作およびフォーカス操作を行うためのレバー８が設けられている。
【００２０】
投射部３と反対側位置には、機構部分が発する熱を排出するための図示していない排気ファン（冷却部）２０が収容されており、上部外装２ａには、排気ファン（冷却部）２０を覆って前部外装２ｃの側が開閉する上部ファンカバー６が設けられ、前部外装２ｃには、排気ファン（冷却部）２０の前部外装２ｃの側をカバーする前部ファンカバー７が設けられている。前部ファンカバー７は、上部外装２ａの側を開閉するための引き手部７ａを有している。そして、下部外装２ｂの投射部３側の側面には、冷却用の空気を導入するための吸気口９の一つである側部吸気口９ａが設けられている。さらに、図２に示すように、下部外装２ｂの底面には２つの底部吸気口９ｂ，９ｃが設けられている。これら吸気口９には、導入する冷却空気に含まれる塵埃を除去するために、吸気口９内側の全域に図示していない除塵フィルタが設けられている。
【００２１】
同じく図２に示すように、下部外装２ｂの底面には、着脱可能な嵌め込み式のランプカバー１４と、プロジェクタ１を３点で支持する３つの脚部１２と、が設けられている。ランプカバー１４は、図４を参照して後述する光源部の光源ランプを装着または交換する際に着脱される。脚部１２は、底面の後方側の略中央部分に１つの後脚と、前方側の隅部にそれぞれ１つの前脚と、が設けられていて、２つの前脚は、それぞれ上下方向に伸縮可能に構成されており、プロジェクタ１の傾きを調整して、投射する画像の位置合わせが行えるようになっている。そして、上部外装２ａの背面に、プロジェクタ１と外部装置とを接続するためのコネクタ部１１が設けられ、下部外装２ｂの背面に、スピーカ１３が設けられている。
【００２２】
次に、プロジェクタ１の機構部分の構成および機能を説明する。図３は、排気ファンが引き出された状態のプロジェクタを示す斜視図である。また、図４は、上部および前部外装を取り外したプロジェクタの内部を示す斜視図である。図４では、排気ファン２０は、外装２内へ収容された状態である。まず、プロジェクタ１の投射を開始する時には、図３に示すように、排気ファン２０が外装２から引き出されている。プロジェクタ１を冷却する冷却空気１０は、側部吸気口９ａおよび底部吸気口９ｂ，９ｃ（図２）からそれぞれ吸入冷却空気１０ａ，１０ｂ，１０ｃとして導入され、排気ファン２０によって排出冷却空気１０ｄとして排気される。
【００２３】
排気ファン２０は、枠体２１が直方体状をしており、外装２から引き出されると、前部外装２ｃの前方側へ下部外装２ｂの底面と略平行に倒された前部ファンカバー７の内面に直立して載置される。このように載置された排気ファン２０の前面側には、排気口２３（外面排気口２３ａ）が位置しており、排出冷却空気１０ｄが下部外装２ｂの底面と略平行に流れて前面方向へ排気される。排出冷却空気１０ｄが前面方向へ排気されることにより、外装２の内部を下部外装２ｂの底面と略平行に流れる冷却空気１０の流れを乱すことなく、スムーズな排気が行える。冷却空気１０がスムーズに流れることにより、吸気口９からの冷却空気１０の導入も促進され、冷却空気１０による冷却効果が高められる。
【００２４】
また、排気ファン２０の枠体上面２１ａは、上部外装２ａの上面より上方に突起していて、上部ファンカバー６の前部外装２ｃの側が、排気ファン２０の枠体上面２１ａに接したまま、突起分だけ上方へ持ち上げられている。つまり、上部ファンカバー６は斜面をなした状態である。さらに、上部ファンカバー６の両側には、サイドカバー６ａが設けられていて、上部ファンカバー６は略Ｕ字状の形状を成すように形成されている。上部ファンカバー６の略Ｕ字状部は、突起した排気ファン２０の枠体上面２１ａおよび枠体上面２１ａに繋がる側面を覆うようにカバーしている。
【００２５】
サイドカバー６ａを有した上部ファンカバー６により、排気ファン２０が外装２から突起していても、突起部分において外装２の外部と内部とを隔離して、突起部分での空気の漏れ等による出入りを規制することができる。そのため、外装２の内部を流れた冷却空気１０は、排気ファン２０の外面排気口２３ａから一括して効率良く排気される。なお、排気ファン２０が外装２から引き出される過程については、図５〜図７を参照して後述する。
【００２６】
そして、プロジェクタ１の内部構成は、図４に示すように、下部外装２ｂの前面の側に、既述した投射部３および排気ファン２０と、投射部３と排気ファン２０との間に位置する電源部１５と、が配置され、排気ファン２０および電源部１５の後部には、平面視略Ｌ字状の光学ユニット４（４１，４２，４３，４４）が配置されている。そして、電源部１５、光学ユニット４および投射部３の上部外装２ａの側に、プロジェクタ１を制御するための制御基板２７が配置されている。図４では、制御基板２７が取り外された状態が示されている。
【００２７】
また、図４は、排気ファン２０が外装２へ収納されている状態を示していて、排気ファン２０の外面排気口２３ａ（図３）は、下部外装２ｂの底面と対向するように収容されている。そして、排気ファン２０は、外面排気口２３ａと連通している内面排気口２３ｂを有しており、内面排気口２３ｂの側には、冷却空気１０を内面排気口２３ｂから外面排気口２３ａの方向へ排出するためのスクリュー２２が設けられている。スクリュー２２の径は、上部外装２ａと下部外装２ｂとの間の長さであるプロジェクタ１の厚みより長く、大型のものであるが、スクリュー２２の径方向を上部外装２ａおよび下部外装２ｂと平行にして収容されているため、薄型のプロジェクタ１であっても排気ファン２０の内部収容が可能である。
【００２８】
制御基板２７は、基板の両面に、図示していない各種回路などからなる制御部が設けられている。制御基板２７の背面の側には、図２に示すコネクタ部１１が配設され、コネクタ部１１は、コンポーネント信号を入力するためのＲＧＢ入力端子、ビデオ入力端子、Ｓビデオ入力端子、ＵＳＢ入力端子、オーディオ入力端子を有している。
【００２９】
電源部１５は、電源ブロックと光源駆動ブロックとを含んで構成されており、電源ブロックは、電源ケーブルを通して、外部から供給された電力を光源駆動ブロックや制御基板２７等に供給している。光源駆動ブロックは、光源部に、電源ブロックから供給された電力を供給するものであり、光源部と電気的に接続されている。
【００３０】
これらの電源ブロックおよび光源駆動ブロックは、略平行に上下に並んで配置され、それぞれ筒状部材（不図示）によって覆われている。筒状部材は、電源ブロックおよび光源駆動ブロック間での電磁ノイズの漏れを防止すると共に、冷却空気１０を誘導する機能も有している。さらに、電源部１５から外部へ電磁ノイズが漏れることを防止するために、シールド板１６が電源部１５を覆って設けられている。
【００３１】
光学ユニット４は、排気ファン２０の背面側にあって光源部を有するインテグレータ照明部４１と、色分離部４２と、リレー光学部４３と、３枚の液晶パネル（不図示）を光学変調素子として有する光学変調部４４と、を有し、光学変調部４４が投射部３に接続されている。以下に、この光学ユニット４について、簡単に説明する。
【００３２】
インテグレータ照明部４１は、光学変調部４４を構成し赤、緑、青の色光毎にそれぞれ設けられている３枚の液晶パネルの画像形成領域をほぼ均一に照明するための光学系であり、光源ランプおよびリフレクタからなる光源部と、第１および第２レンズアレイと、偏光変換素子と、重畳レンズとを有している。
【００３３】
色分離部４２は、２枚のダイクロイックミラーと、反射ミラーとを有し、ダイクロイックミラーによりインテグレータ照明部４１から射出された光束を赤、緑、青の３色の色光に分離する機能を有している。
【００３４】
リレー光学部４３は、入射側レンズと、リレーレンズと、反射ミラーとから構成され、光路の長い色光の照度を維持する機能を有し、この場合、色分離部４２で分離された色光の内、赤色光を赤色光用の液晶パネルまで導いている。また、緑色光および青色光は、色分離部４２で反射または透過されて、それぞれ緑色光用および青色光用の液晶パネルまで導かれる。
【００３５】
光学変調部４４は、入射した光束を画像情報に応じて変調してカラー画像を形成するものであり、各色光用の入射側偏光板、液晶パネル、および出射側偏光板と、色合成のための光学系であるクロスダイクロイックプリズムと、を有している。クロスダイクロイックプリズムは、出射側偏光板から射出され色光毎に変調された光学像を合成してカラー画像を形成するものであり、クロスダイクロイックプリズムで合成されたカラー画像は、投射部３の投射レンズを介して拡大投射される。
【００３６】
以上説明したプロジェクタ１において、冷却が必要な発熱部は、光源ランプを有する光源部および液晶パネルを有する光学変調部４４を含む光学ユニット４と、電源部１５と、である。薄型化されたプロジェクタ１では、大型吸気ファンの設置が困難であるため、図２に示す３つの吸気口９（９ａ，９ｂ，９ｃ）を設け、吸気ファンである３つの小型のシロッコファン１７ａ，１７ｂ，１７ｃによって、吸入冷却空気１０ａ，１０ｂ，１０ｃをそれぞれ導入して十分な冷却空気１０の量を確保している。
【００３７】
図３および図４に示すように、側部吸気口９ａからシロッコファン１７ａによって導入された吸入冷却空気１０ａは、光学変調部４４の下方へ導かれ、液晶パネルを冷却して光学ユニット４と制御基板２７との間を排気ファン２０の方向へ流れる。この時、吸入冷却空気１０ａは、制御基板２７に高密度に実装された高機能のＩＣ（Integrated  Circuit）などの冷却も行う。
【００３８】
また、底部吸気口９ｂからシロッコファン１７ｂによって導入された吸入冷却空気１０ｂは、既述した電源部１５の筒状部材に沿って、電源部１５の電源ブロックおよび光源駆動ブロックを冷却しながら排気ファン２０の方向へ流れる。そして、底部吸気口９ｃからシロッコファン１７ｃによって導入された吸入冷却空気１０ｃは、インテグレータ照明部４１の光源部の内部に入り込んで光源ランプを主に冷却し、光源部排気口１８から出て排気ファン２０の方向へ流れる。
【００３９】
排気ファン２０は、３つの小型のシロッコファン１７ａ，１７ｂ，１７ｃが導入する吸入冷却空気１０ａ，１０ｂ，１０ｃを一括して排気するため、できるだけ大型のスクリュー２２を有することが好ましい。薄型化されたプロジェクタ１において、従来のままでは、スクリュー２２が前部外装２ｃより大きくなってしまい、外装デザイン面での悪さおよび不使用時の収納や持ち運びのし難さ等の支障が生じる。引き出しおよび収納可能な排気ファン２０は、このような支障を解決するものである。
【００４０】
なお、排気ファン２０からの排気をより効率的に行うために、図３に示す上部ファンカバー６とサイドカバー６ａとには、外装２から引き出された排気ファン２０と接する面に、冷却空気１０の出入りを遮断するための弾性部材が貼付されている。また、図４に示す枠体支持部２４の排気ファン２０側にも、同様の弾性部材が貼付されて、排気ファン２０の周辺部からの冷却空気１０の漏れ等を防止している。この排気ファン２０は、外装２から引き出された図３に示す状態においてのみ、稼動することが可能な構成であり、スクリュー２２へは図示していないケーブルにより電力が供給されている。
【００４１】
次に、排気ファン２０の外装２内部への収納、および外装２からの引き出しについて、その過程を順に説明する。図５は、外装内に収納された状態の排気ファンを示す断面図である。また、図６は、外装から引き出される途中の排気ファンを示す断面図、図７は、外装から引き出された状態の排気ファンを示す断面図である。まず、外装２内部に収容されている排気ファン２０について説明する。図５に示すように、排気ファン２０の枠体２１は、内面排気口２３ｂ側の面と枠体上面２１ａとの交点近傍に設けられた枠体軸支部２５によって、サイドカバー６ａへ回転自在に取り付けられている。排気ファン２０は、上部ファンカバー６が閉じられると、枠体軸支部２５を中心にして回転し、上部ファンカバー６の略Ｕ字状部に収容される。
【００４２】
この場合、枠体２１の内面排気口２３ｂ側が上部ファンカバー６の内面に沿うように接し、外面排気口２３ａ側が下部外装２ｂに対向した状態で収容されている。そして、排気ファン２０は、外面排気口２３ａの側に、外面排気口２３ａと下部外装２ｂとの間隙と同じ長さに突起したガイド部２６を有し、収納された排気ファン２０の枠体２１が間隙によって揺れ動くことを防いでいる。なお、上部ファンカバー６は、前部ファンカバー７の側が開閉するようにカバー軸支部６ｂで上部外装２ａに軸支され、前部ファンカバー７は、上部ファンカバー６の側が開閉するように、カバー軸支部７ｂで下部外装２ｂに軸支されている。
【００４３】
排気ファン２０を外装２から引き出す場合、まず、前部ファンカバー７の引き手部７ａを引いて、図６に示すように、前部ファンカバー７が下部外装２ｂと平行になるまで倒す。次いで、上部ファンカバー６を上方へ徐々に開く。上部ファンカバー６が開くにつれて、排気ファン２０が枠体軸支部２５を中心にして、自重によって、上部ファンカバー６の内面から離反するように回転する。この時、ガイド部２６は、排気ファン２０の回転につれて、下部外装２ｂの内面に沿って前部ファンカバー７の方向へ移動する。排気ファン２０が回転し、排気ファン２０の外面排気口２３ａがほぼ直立状態になった時に、ガイド部２６を引いて、排気ファン２０を前部ファンカバー７の方向へさらに引き出す。
【００４４】
この操作により、排気ファン２０は、図７に示すように、枠体上面２１ａと対極側の枠体下面２１ｂが前部ファンカバー７に載置され、枠体下面２１ｂの内面排気口２３ｂ側の角部が、下部外装２ｂに設けられた枠体検出部（検出部）１９の段差にセットされる。枠体検出部１９は、排気ファン２０が引き出されて、所定位置へセットされた状態にあることを検出するためのセンサである。この直立状態において、上部ファンカバー６は、上方へ開かれており、上部外装２ａに対して角度をなす斜面になっている。そして、枠体上面２１ａの内面排気口２３ｂの側には、斜面をなす上部ファンカバー６と同角度の斜面が形成されていて、上部ファンカバー６と枠体上面２１ａの斜面とが面で接触した状態である。
【００４５】
このような状態で、スクリュー２２が回転すると、プロジェクタ１に導入された吸入冷却空気１０ａ，１０ｂ，１０ｃは、下部外装２ｂと略平行に流れて冷却に供された後、排出冷却空気１０ｄとして、下部外装２ｂと略平行方向へ一括して排出される。プロジェクタ１の厚みより長い大口径のスクリュー２２により、排出冷却空気１０ｄを強力に排気できるため、小型のシロッコファン１７ａ，１７ｂ，１７ｃによる吸気も促進させることが可能である。また、排気ファン２０へは、スクリュー２２による排気の反力がプロジェクタ１の内部方向へ向かってかかるが、枠体検出部１９の段差により受け止められ、排気ファン２０は安定した状態を維持して排気が行える。
【００４６】
次に、プロジェクタ１の制御系について説明する。図８は、プロジェクタの制御部を主に示すブロック図である。プロジェクタ１の制御部３０は、制御基板２７に実装されていて、プロジェクタ１を総合的に制御するＣＰＵ（Central  Processing  Unit）３１と、ＣＰＵ３１が参照して各種処理をするためのプログラム等を格納しているＲＯＭ（Read  Only  Memory）３２と、操作パネル５を制御するパネル制御部３３と、光学ユニット４および電源部１５を制御するユニット制御部３４と、を有している。
【００４７】
また、制御部３０は、シロッコファン１７ａ，１７ｂ，１７ｃおよび排気ファン２０を制御するファン制御部３５と、温度検出部２８および枠体検出部１９を制御する検出制御部３６と、タイマ２９を制御するタイマ制御部３７と、を有している。これら制御部３０を構成する各々は、内部バスを介してそれぞれ互いに接続されている。
【００４８】
このような構成のプロジェクタ１において、排気ファン２０の引き出しおよび収納に関してＣＰＵ３１が実行するフローについて説明する。図９は、電源がオンされた際の処理手順を示すフローチャート図である。このフローチャート図は、プロジェクタ１の使用を開始する場合であって、プロジェクタ１には、電源ケーブルが接続され、電力供給が可能になっている。まず、ステップＳ１において、電源オン信号を受信する。電源オン信号は、ユーザーが操作パネル５を操作することにより、送信される。電源オン信号を受信してステップＳ２へ進む。
【００４９】
ステップＳ２において、枠体検出部１９から、排気ファン２０の引き出し済を通知する検出信号を、受信したか否かを判断する。枠体検出部１９は、図７に示すように排気ファン２０が外装２から引き出されて、枠体検出部１９および前部ファンカバー７に正しく載置されていれば、検出信号を送信し、そうでなければ、検出信号を送信しない。従って、検出信号を受信していない状態では、プロジェクタ１の冷却が十分に行われる状態でないため、プロジェクタ１を稼動させずにフローを終了する。一方、検出信号を受信した状態では、排気ファン２０による冷却空気１０の排気が可能で、プロジェクタ１の冷却が十分に行われると判断して、ステップＳ３へ進む。
【００５０】
ステップＳ３において、プロジェクタ１の電源オンおよび投射開始をユニット制御部３４へ指示する。これにより、プロジェクタ１に電力が供給され、プロジェクタ１が起動可能になる。
【００５１】
また、図１０は、投射中に排気ファンが収納された際の処理手順を示すフローチャート図である。ステップＳ１０において、枠体検出部１９から、排気ファン２０が外装２の内部へ収容されたことを通知する検出信号を、受信したか否かを判断する。検出信号を受信しなければ、ステップＳ１０において受信を待ち、一方、検出信号を受信すれば、ステップＳ１１へ進む。
【００５２】
ステップＳ１１において、警告表示を投射するように、ユニット制御部３４へ指示する。警告表示は、排気ファン２０が外装２の内部へ収容されると、プロジェクタ１の冷却が十分に行われずに過熱の恐れがあるため、排気ファン２０を引き出すことを促すものである。警告表示の指示後、ステップＳ１２へ進む。
【００５３】
ステップＳ１２において、タイマ２９による計時開始をタイマ制御部３７へ指示する。タイマ２９は、プロジェクタ１を停止させる前に、警告表示に従い排気ファン２０が再び引き出されるのを待つ所定時間を図るためのものである。計時開始の指示後、ステップＳ１３へ進む。
【００５４】
ステップＳ１３において、タイマ２９による所定時間の計時が終了したか否かを判断する。所定時間が経過していれば、これ以上、不十分な冷却状態で、プロジェクタ１による投射を継続できないと判断して、ステップＳ１４へ進み、一方、所定時間が経過していなければ、ステップＳ１５へ進む。
【００５５】
ステップＳ１４において、所定時間が経過しているため、投射停止および電源オフの処理をユニット制御部３４へ指示する。これにより、プロジェクタ１の機能が停止され、プロジェクタ１の過熱等が回避される。指示後、フローを終了する。
【００５６】
所定時間が経過していない場合、ステップＳ１５において、枠体検出部１９から、排気ファン２０が引き出された検出信号を受信したか否かを判断する。検出信号を受信すれば、再び十分な冷却が行えるため、プロジェクタ１の投射を継続することが可能となり、この場合、ステップＳ１６へ進む。一方、検出信号を受信していなければ、ステップＳ１３へ戻る。
【００５７】
ステップＳ１６において、警告表示の停止をユニット制御部３４へ指示する。そして、引き出された排気ファン２０が再稼動し、プロジェクタ１による投射がそのまま継続されて、フローを終了する。なお、各ステップにおいて、電源オフ信号が受信されると、この電源オフ信号の処理が優先される。
【００５８】
以上、外装２への収納および外装２からの引き出しが可能な排気ファン２０を備えたプロジェクタ１の一実施形態について説明した。この実施形態における主な効果をまとめて記載する。
【００５９】
（１）プロジェクタ１の排気ファン２０は、外装２から引き出されて一部が外装２から突起した直立状態の場合には、大口径のスクリュー２２を回して稼動可能であり、非稼動時には、姿勢を変えて倒された状態で外装２内へ収容されている。このように、排気ファン２０は、収容時において稼動時と異なる姿勢であるため、稼動時の直立状態のままでは収容できない薄型の外装２の内部へも、排気ファン２０を収容することが可能である。
【００６０】
（２）プロジェクタ１は、枠体検出部１９によって、排気ファン２０が外装２から引き出されていることを検出されている場合のみ、電源オンが可能である。そのため、排気ファン２０が外装２内に収容されたままで、冷却空気１０を排気できない状態の時に、プロジェクタ１の電源がオンにされ、プロジェクタ１が加熱するような事態を回避できる。
【００６１】
（３）また、プロジェクタ１の投射中に、枠体検出部１９によって、排気ファン２０が外装２の内部へ収容されたことを検出すると、プロジェクタ１の電源をオフにする処理がなされる。これにより、プロジェクタ１へ冷却空気１０が十分に供給されないまま投射が続行されることを防止できる。
【００６２】
（４）この時、タイマ２９が計時する所定時間内に、排気ファン２０が引き出されたことを枠体検出部１９が検出すれば、プロジェクタ１は、電源オフの処理を行わずに投射を継続する。これにより、所定時間内に排気ファン２０が再度引き出されれば、投射が継続されるため、最初からプロジェクタ１を立ち上げ直す手間を不要にでき、その結果、ユーザーの負担を軽減できる。
【００６３】
また、プロジェクタ１は、実施形態の内容に限定されるものではなく、次に挙げる変形例のような形態であっても、実施形態と同様な効果が得られる。
【００６４】
（変形例１）排気ファン２０の収納および引き出し構成は、枠体軸支部２５、ガイド部２６等を用いた実施形態に限定されず、排気ファン２０が外装２の内部へ収納でき、外装２から引き出されると、外装２から突起した状態で稼動可能になる構成であれば良い。また、内面排気口２３ｂの側が外部に向いて引き出される構成でも良い。
【００６５】
（変形例２）排気ファン２０は、前部外装２ｃの位置へ引き出されて、排出冷却空気１０ｄを前方へ排気する構成であるが、この構成に限定されず、排気ファン２０が外装２の側面または背面の位置へ引き出される構成であっても良い。光学ユニット４等の配置に対応して、柔軟な位置設定が可能である。
【００６６】
（変形例３）プロジェクタ１は、排気ファン２０のみが引き出し可能な構成であるが、３つの吸気ファンのうち、シロッコファン１７ａを排気ファン２０と同構成のものに置き換えても良い。これにより、小型のシロッコファン１７ａより大量の吸入冷却空気１０ａを導入することができ、小型の吸気ファンを複数設置する必要がない。
【００６７】
（変形例４）枠体検出部１９のセンサは、下部外装２ｂに設置することに限定せず、前部ファンカバー７や排気ファン２０の枠体２１に設けた構成等であっても良い。
【００６８】
（変形例５）プロジェクタ１の光学ユニット４は、光学変調部４４に液晶パネルを用いた方式に限定されず、ＤＭＤ（Digital  Micro-mirror  Device：米国テキサスインスツルメンツ社商標）を用いた方式等であっても良い。排気ファン２０は、種々の方式のプロジェクタに備えられて、効果的な冷却を行うことができる。
【図面の簡単な説明】
【００６９】
【図１】本実施形態にかかるプロジェクタを前面上方から見た外観を示す斜視図。
【図２】プロジェクタを背面下方から見た外観を示す斜視図。
【図３】排気ファンが引き出された状態のプロジェクタを示す斜視図。
【図４】上部および前部外装を取り外したプロジェクタの内部を示す斜視図。
【図５】外装内に収納された状態の排気ファンを示す断面図。
【図６】外装から引き出される途中の排気ファンを示す断面図。
【図７】外装から引き出された状態の排気ファンを示す断面図。
【図８】プロジェクタの制御部を主に示すブロック図。
【図９】電源がオンされた際の処理手順を示すフローチャート図。
【図１０】投射中に排気ファンが収納された際の処理手順を示すフローチャート図。
【符号の説明】
【００７０】
１…プロジェクタ、２…筐体としての外装、６…上部ファンカバー、７…前部ファンカバー、９…吸気口、１０…冷却空気、１０ａ，１０ｂ，１０ｃ…吸入冷却空気、１０ｄ…排出冷却空気、１７ａ，１７ｂ，１７ｃ…シロッコファン、１９…検出部としての枠体検出部、２０…冷却部としての排気ファン、２１…枠体、２２…スクリュー、２３…排気口、２３ａ…外面排気口、２３ｂ…内面排気口、２４…枠体支持部、２５…枠体軸支部、２６…ガイド部、２８…温度検出部、２９…タイマ、３０…制御部、３５…ファン制御部、３６…検出制御部、３７…タイマ制御部。
【図１】
2008309915.tif 000003
【図２】
2008309915.tif 000004
【図３】
2008309915.tif 000005
【図４】
2008309915.tif 000006
【図５】
2008309915.tif 000007
【図６】
2008309915.tif 000008
【図７】
2008309915.tif 000009
【図８】
2008309915.tif 000010
【図９】
2008309915.tif 000011
【図１０】
2008309915.tif 000012